(57)【要約】【課題】特定事象までの距離の記載を含む標識を適切に確認可能にすること。【解決手段】移動体の現在位置情報を取得する現在位置情報取得部１１と、移動体が走行中の道路における、特定事象までの距離を示す標識の標識情報を取得する標識情報取得部１２と、現在位置情報取得部１１が取得した移動体の現在位置から特定事象までの距離を算出する距離算出部１３と、標識情報取得部１２が取得した標識情報に対し、距離算出部１３が算出した距離情報を含めて、モニタ２０に表示させる表示制御部１５とを備える。【選択図】図１
2019095388.tif 000002
【特許請求の範囲】
【請求項１】
移動体の現在位置情報を取得する現在位置情報取得部と、
前記移動体が走行中の道路における、特定事象までの距離を示す標識の標識情報を取得する標識情報取得部と、
前記現在位置情報取得部が取得した前記移動体の現在位置から前記特定事象までの距離を算出する距離算出部と、
前記標識情報取得部が取得した前記標識情報に対し、前記距離算出部が算出した距離情報を含めて、表示部に表示させる表示制御部と、
を備えることを特徴とする車両用表示制御装置。
【請求項２】
前記標識情報取得部は、前記移動体の現在位置情報および現在位置情報の推移から、前記移動体が走行中の道路における特定事象までの距離を示す標識の標識情報を、地図情報として記憶されている標識情報から取得する、
請求項１に記載の車両用表示制御装置。
【請求項３】
前記標識情報取得部は、前記移動体の進行方向を撮影した映像から、前記移動体が走行中の道路における特定事象までの距離を示す標識の標識情報を取得する、
請求項１に記載の車両用表示制御装置。
【請求項４】
前記表示制御部は、前記標識情報取得部が取得した前記標識情報に対し、実際の標識に距離情報が記載されている位置に、前記距離算出部が算出した距離情報を置き換えて表示させる、
請求項１から３のいずれか１項に記載の車両用表示制御装置。
【請求項５】
前記標識情報取得部は、特定事象までの距離を示す標識情報として、特定事象までの距離が所定距離未満である標識情報を取得し、
前記表示制御部は、前記標識情報取得部が取得した前記標識情報に対し、前記移動体の移動に伴い、所定距離ごとの距離情報を含めて、表示部に表示させる、
請求項１から４のいずれか１項に記載の車両用表示制御装置。
【請求項６】
設定された目的地までの経路情報を取得する経路情報取得部と、
前記標識情報取得部が取得した標識情報における特定事象を通過する経路において通知を要する特定事象であるか否かを判断する判断部と、
をさらに備え、
前記距離算出部は、前記特定事象が、前記経路情報取得部が取得した経路情報において通知を要する特定事象である場合に、前記移動体の現在位置から前記特定事象までの距離を算出する、
請求項１から５のいずれか１項に記載の車両用表示制御装置。
【請求項７】
前記標識情報取得部が取得した標識情報が複数存在するとき、標識情報を表示する優先順位を判定する優先順位判定部、
をさらに備え、
前記表示制御部は、前記標識情報取得部が取得した複数の前記標識情報に対し、前記優先順位判定部が判定した優先順位に従って、表示部に表示させる、
請求項１から６のいずれか１項に記載の車両用表示制御装置。
【請求項８】
請求項１から７のいずれか一項に記載の車両用表示制御装置と、
前記表示部と、を備える車両用表示システム。
【請求項９】
移動体の現在位置情報を取得する現在位置情報取得ステップと、
前記移動体が走行中の道路における、特定事象までの距離を示す標識の標識情報を取得する標識情報取得ステップと、
前記現在位置情報取得ステップにおいて取得した前記移動体の現在位置から前記特定事象までの距離を算出する距離算出ステップと、
前記標識情報取得ステップにおいて取得した前記標識情報に対し、前記距離算出ステップにおいて算出した距離情報を含めて、表示部に表示させる表示制御ステップと、
を含む車両用表示制御方法。
【請求項１０】
移動体の現在位置情報を取得する現在位置情報取得ステップと、
前記移動体が走行中の道路における、特定事象までの距離を示す標識の標識情報を取得する標識情報取得ステップと、
前記現在位置情報取得ステップにおいて取得した前記移動体の現在位置から前記特定事象までの距離を算出する距離算出ステップと、
前記標識情報取得ステップにおいて取得した前記標識情報に対し、前記距離算出ステップにおいて算出した距離情報を含めて、表示部に表示させる表示制御ステップと、
を車両用表示制御装置として動作するコンピュータに実行させるためのプログラム。
【発明の詳細な説明】
【技術分野】
【０００１】
本発明は、車両用表示制御装置、車両用表示システム、車両用表示制御方法およびプログラムに関する。
【背景技術】
【０００２】
ナビゲーション装置は、車両などが走行している道路に設置されている標識の標識情報を地図と対応付けて表示するものが知られている（例えば、特許文献１参照）。また、車両などが進行方向を向いたカメラが撮影した映像から標識などを抽出して表示する技術が知られている。
【先行技術文献】
【特許文献】
【０００３】
【特許文献１】特開２０１３−２３８５２７号公報
【発明の概要】
【発明が解決しようとする課題】
【０００４】
例えば、交差点または道路の分岐点を含む特定事象を案内する標識は、標識の設置位置から特定事象までの距離が記載されているものがある。このような標識の真下を通過する際は、標識に記載された距離と実際の距離とが一致している。ところが、標識の手前から標識を表示した場合や、標識を通過した後に標識の表示を継続している場合、標識に記載された距離と実際の距離との差異が生じる。
【０００５】
本発明は、上記に鑑みてなされたものであって、特定事象までの距離の記載を含む標識を適切に確認可能にすることを目的とする。
【課題を解決するための手段】
【０００６】
上述した課題を解決し、目的を達成するために、本発明に係る車両用表示制御装置は、移動体の現在位置情報を取得する現在位置情報取得部と、前記移動体が走行中の道路における、特定事象までの距離を示す標識の標識情報を取得する標識情報取得部と、前記現在位置情報取得部が取得した前記移動体の現在位置から前記特定事象までの距離を算出する距離算出部と、前記標識情報取得部が取得した前記標識情報に対し、前記距離算出部が算出した距離情報を含めて、表示部に表示させる表示制御部と、を備えることを特徴とする。
【０００７】
本発明に係る車両用表示システムは、上記の車両用表示制御装置と、前記表示部と、を備える。
【０００８】
本発明に係る車両用表示制御方法は、移動体の現在位置情報を取得する現在位置情報取得ステップと、前記移動体が走行中の道路における、特定事象までの距離を示す標識の標識情報を取得する標識情報取得ステップと、前記現在位置情報取得ステップにおいて取得した前記移動体の現在位置から前記特定事象までの距離を算出する距離算出ステップと、前記標識情報取得ステップにおいて取得した前記標識情報に対し、前記距離算出ステップにおいて算出した距離情報を含めて、表示部に表示させる表示制御ステップと、を含む。
【０００９】
本発明に係るプログラムは、移動体の現在位置情報を取得する現在位置情報取得ステップと、前記移動体が走行中の道路における、特定事象までの距離を示す標識の標識情報を取得する標識情報取得ステップと、前記現在位置情報取得ステップにおいて取得した前記移動体の現在位置から前記特定事象までの距離を算出する距離算出ステップと、前記標識情報取得ステップにおいて取得した前記標識情報に対し、前記距離算出ステップにおいて算出した距離情報を含めて、表示部に表示させる表示制御ステップと、を車両用表示制御装置として動作するコンピュータに実行させる。
【発明の効果】
【００１０】
本発明によれば、特定事象までの距離の記載を含む標識を適切に確認可能にすることができるという効果を奏する。
【図面の簡単な説明】
【００１１】
【図１】図１は、第一実施形態に係る車両用表示システムの構成例を示すブロック図である。
【図２】図２は、標識映像データの一例を示す図である。
【図３】図３は、標識映像データの他の例を示す図である。
【図４】図４は、標識映像データの他の例を示す図である。
【図５】図５は、標識映像データの他の例を示す図である。
【図６】図６は、標識映像データの他の例を示す図である。
【図７】図７は、標識映像データの他の例を示す図である。
【図８】図８は、第一実施形態に係る車両用表示システムの車両用表示制御装置における処理の流れを示すフローチャートである。
【図９】図９は、車両の位置と特定事象の位置とを説明する概略図である。
【図１０】図１０は、第一実施形態に係る車両用表示システムで合成された合成映像データの一例を示す図である。
【図１１】図１１は、第一実施形態に係る車両用表示システムで合成された合成映像データの他の例を示す図である。
【図１２】図１２は、第一実施形態に係る車両用表示システムで合成された合成映像データの他の例を示す図である。
【図１３】図１３は、第一実施形態に係る車両用表示システムで合成された合成映像データの他の例を示す図である。
【図１４】図１４は、第二実施形態に係る車両用表示システムの構成例を示すブロック図である。
【図１５】図１５は、第二実施形態に係る車両用表示システムのカメラで撮影された前方映像データの一例を示す図である。
【図１６】図１６は、第二実施形態に係る車両用表示システムの車両用表示制御装置における処理の流れを示すフローチャートである。
【図１７】図１７は、第三実施形態に係る車両用表示システムの車両用表示制御装置における処理の流れを示すフローチャートである。
【図１８】図１８は、第四実施形態に係る車両用表示システムの車両用表示制御装置における処理の流れを示すフローチャートである。
【発明を実施するための形態】
【００１２】
以下に添付図面を参照して、本発明に係る車両用表示制御装置１０、車両用表示システム１、車両用表示制御方法およびプログラムの実施形態を詳細に説明する。なお、以下の実施形態により本発明が限定されるものではない。本実施形態では、移動体は、車両として説明するが、これに限定されない。
【００１３】
［第一実施形態］
図１は、第一実施形態に係る車両用表示システムの構成例を示すブロック図である。車両用表示システム１は、特定事象までの距離の記載を含む標識に対し、算出した距離情報を含めて、モニタ（表示部）２０に表示する。
【００１４】
特定事象は、例えば、交差点または道路の分岐点または出入口またはサービス・エリアまたは道の駅または料金徴収所である。または、特定事象は、例えば、都市またはランドマークであってもよい。
【００１５】
距離は、数値と距離を表す単位とを含む。例えば、距離は、標識においては、「〇〇〇ｍ」、「〇〇〇ｋｍ」と記載されている。
【００１６】
標識とは、車両が走行中の道路の路面より上方に設置された板状の標示物である。標識は、標識の設置位置から標識が示す特定事象までの距離が記載された、例えば、案内標識を含む道路標識、道路標識以外の標識、情報板、情報掲示板、情報表示板、看板を含む。標識は、電光掲示板を含む。標識は、道路を走行する車両の運転者から視認可能な範囲に設置されている。標識は、車両が走行中の道路の上方、または、側方に設置されている。
【００１７】
車両用表示システム１は、車両用表示制御装置１０とモニタ２０とを有する。本実施形態では、車両用表示システム１は、車両に搭載されたナビゲーションシステムとして説明する。また、本実施形態では、車両用表示制御装置１０は、ナビゲーションシステムの一つの機能として実装されるものとして説明する。または、車両用表示システム１は、車両のナビゲーションシステムが有するナビゲーション情報を送受信可能な携帯型電子機器や、ナビゲーション機能を備える携帯型電子機器であってもよい。
【００１８】
モニタ２０は、一例としてはナビゲーションシステムで使用するモニタである。モニタ２０は、例えば、液晶ディスプレイ（ＬＣＤ：Ｌｉｑｕｉｄ  Ｃｒｙｓｔａｌ  Ｄｉｓｐｌａｙ）または有機ＥＬ（Ｏｒｇａｎｉｃ  Ｅｌｅｃｔｒｏ−Ｌｕｍｉｎｅｓｃｅｎｃｅ）ディスプレイなどを含むディスプレイである。モニタ２０は、車両用表示制御装置１０の表示制御部１５から出力された映像信号に基づき、映像を表示する。モニタ２０は、運転者から視認容易な位置に配置されている。
【００１９】
車両用表示制御装置１０は、例えば、ＣＰＵ（Ｃｅｎｔｒａｌ  Ｐｒｏｃｅｓｓｉｎｇ  Ｕｎｉｔ）などで構成された演算処理装置である。車両用表示制御装置１０は、図示しない記憶部に記憶されているプログラムに含まれる命令を実行する。車両用表示制御装置１０は、現在位置情報取得部１１と、標識情報取得部１２と、距離算出部１３と、合成処理部１４と、表示制御部１５とを含む。
【００２０】
現在位置情報取得部１１は、車両の現在位置の現在位置情報を取得する。本実施形態では、現在位置情報取得部１１は、ナビゲーションシステムから取得したナビゲーション情報に基づいて、車両の現在位置情報を取得する。現在位置情報取得部１１は、取得した現在位置情報を、距離算出部１３に出力する。
【００２１】
ナビゲーション情報には、車両の現在位置情報と、車両が走行中の道路を含む地図情報として、車両が走行中の道路に設置された標識の設置位置情報と標示内容情報とを含む標識情報とを含む。標識の設置位置情報は、車両が走行中の道路に対する標識の設置向きを含む。標識の標示内容情報は、標識に示された文字情報と図形情報と色彩情報とを含む。文字情報には、標識の設置位置から標識が示す特定事象までの距離の距離情報を含む。本実施形態では、標識の標示内容情報は、標識の標識映像データ１００である。
【００２２】
標識情報取得部１２は、車両が走行中の道路における、特定事象までの距離を示す標識の標識情報を取得する。本実施形態では、標識情報取得部１２は、車両の現在位置情報および現在位置情報の推移から、車両が走行中の道路における特定事象までの距離を示す標識の標識情報を、地図情報として記憶されている標識情報から取得する。より詳しくは、標識情報取得部１２は、車両が走行中の道路の進行方向前方に車両を向いて設置されている標識の標識情報を取得する。標識情報取得部１２は、ナビゲーションシステムから取得した地図情報に基づいて、標識の設置位置情報と標示内容情報とを標識情報として取得する。本実施形態では、標識情報取得部１２は、標識の設置位置情報と標識映像データ１００とを取得する。標識情報取得部１２は、取得した標識情報を距離算出部１３と合成処理部１４とに出力する。標識情報取得部１２は、標識情報として、標識の設置位置情報である緯度経度情報のみを取得してもよい。
【００２３】
標識情報取得部１２は、特定事象までの距離を示す標識情報として、特定事象までの距離が所定距離未満である標識情報を取得してもよい。言い換えると、標識情報取得部１２は、標識に記載されている距離が、車両の現在位置の変化に合わせて変化させても、運転者に有益な情報とならないと推測される程度に大きい場合、当該標識を標識情報の取得対象に含めないようにしてもよい。例えば、標識情報取得部１２は、標識に記載されている距離が、１０ｋｍ程度の閾値以上である場合、当該標識を標識情報の取得対象に含めないようにしてもよい。
【００２４】
図２ないし図６を参照して、標識の標識映像データ１００について説明する。図２は、標識映像データの一例を示す図である。図３は、標識映像データの他の例を示す図である。図４は、標識映像データの他の例を示す図である。図５は、標識映像データの他の例を示す図である。図６は、標識映像データの他の例を示す図である。図２に示す標識映像データ１００は、交差点における方面及び方向を示す案内標識の映像データである。標識映像データ１００は、交差点までの距離が記載された距離記載部１０１を有する。図３に示す標識映像データ１００は、道路の分岐点における方面及び方向を示す案内標識の映像データである。標識映像データ１００は、道路の分岐点までの距離が記載された距離記載部１０１を有する。図４に示す標識映像データ１００は、出口における方面及び方向を示す案内標識の映像データである。標識映像データ１００は、出口までの距離が記載された距離記載部１０１を有する。図５に示す標識映像データ１００は、サービス・エリアを示す案内標識の映像データである。標識映像データ１００は、サービス・エリアまでの距離が記載された距離記載部１０１を有する。図６に示す標識映像データ１００は、都市を示す案内標識の映像データである。標識映像データ１００は、都市までの距離が記載された距離記載部１０１を有する。
【００２５】
図７を参照して、標識の標識映像データ１００の他の例について説明する。図７は、標識映像データの他の例を示す図である。図７に示す標識映像データ１００は、交差点における方面及び方向を示す案内標識の映像データである。標識映像データ１００は、交差点までの距離が可変できるように距離記載部１０１を有する。本実施形態では、距離記載部１０１は、距離算出部１３が算出した距離を入力可能な範囲である。
【００２６】
距離算出部１３は、現在位置情報取得部１１が取得した車両の現在位置から特定事象までの距離を算出する。より詳しくは、距離算出部１３は、現在位置情報取得部１１が取得したナビゲーション情報と標識情報取得部１２が取得した標識映像データ１００とに基づいて、車両の現在位置から標識が示す特定事象までの距離を算出する。まず、距離算出部１３は、表示対象となった標識の標識映像データ１００が距離記載部１０１を備えた標識であるか否かを判断する。そして、距離算出部１３は、距離記載部１０１に記載された特定事象の位置情報をナビゲーション情報から取得する。そして、距離算出部１３は、車両の現在位置情報と特定事象の位置情報とから、車両の現在位置から特定事象までの距離を算出する。距離算出部１３は、算出した距離を合成処理部１４に出力する。
【００２７】
合成処理部１４は、標識情報取得部１２が取得した標識情報である標識映像データ１００に対し、距離算出部１３が算出した距離情報を含めて合成した合成映像データ１１０を生成する。より詳しくは、合成処理部１４は、標識情報取得部１２が取得した標識情報に対し、実際の標識に距離情報が記載されている位置に、距離算出部１３が算出した距離情報を置き換えて合成した合成映像データ１１０を生成する。合成処理部１４は、車両の現在位置の変化にともなって、言い換えると、車両の現在位置から特定事象までの距離の変化に応じて、距離記載部１０１の数値を変化させる。合成処理部１４は、合成した合成映像データ１１０を表示制御部１５に出力する。
【００２８】
車両の現在位置から特定事象までの距離は、常に最新の車両の現在位置に基づいて距離算出部１３で算出してもよい。または、車両の現在位置から特定事象までの距離は、一度、距離算出部１３で算出した後は、図示しない車両情報取得部によって車両から取得した車速情報に基づいて、距離を算出してもよい。
【００２９】
合成処理部１４は、車両の現在位置から特定事象までの距離の変化に応じて、距離記載部１０１の数値を連続的に変化させてもよい。または、合成処理部１４は、標識情報取得部１２が取得した標識情報に対し、車両の移動に伴い、断続的に変化させて、言い換えると、所定距離ごとの距離情報を含めて合成した合成映像データ１１０を生成してもよい。例えば、合成処理部１４は、車両の現在位置から特定事象までの距離の変化に応じて、距離を１ｍごとに変化させて合成した合成映像データ１１０を生成してもよい。例えば、合成処理部１４は、車両の現在位置から特定事象までの距離の変化に応じて、距離を５０ｍごとに変化させて合成した合成映像データ１１０を生成してもよい。さらに、例えば、合成処理部１４は、車両の現在位置から特定事象までの距離の変化に応じて、距離が５０ｍ以上のとき、距離を５０ｍごとに変化させて合成した合成映像データ１１０を生成し、距離が５０ｍ未満かつ１０ｍ以上のとき、距離を１０ｍごとに変化させて合成した合成映像データ１１０を生成し、距離が１０ｍ未満のとき、距離を１ｍごとに変化させて合成した合成映像データ１１０を生成してもよい。
【００３０】
合成処理部１４は、算出した距離が「０ｍ」である場合、車両の現在位置が特定事象の位置であることを認識しやすくしてもよい。合成処理部１４は、標識の中の案内図中の車両の現在位置を円または矩形の図形で囲ってもよい。合成処理部１４は、標識の中の案内図中の車両の現在位置を赤色で着色してもよい。合成処理部１４は、標識の色を変えてもよい。例えば、特定事象が交差点である場合、標識の中の交差点を円で囲った合成映像データ１１０を生成する。
【００３１】
表示制御部１５は、ナビゲーションシステムから出力されたナビゲーション映像データをモニタ２０に表示させる。ナビゲーション映像データとは、例えば車両の現在位置を含む周囲の地図である。表示制御部１５は、標識情報取得部１２が取得した標識情報に対し、距離算出部１３が算出した距離情報を含めて、モニタ２０に表示させる。より詳しくは、表示制御部１５は、標識情報取得部１２が取得した標識情報に対し、実際の標識に距離情報が記載されている位置に、距離算出部１３が算出した距離情報を置き換えてモニタ２０に表示させる。表示制御部１５は、標識情報取得部１２が取得した標識情報に対し、車両の移動に伴い、所定距離ごとの距離情報を含めて、モニタ２０に表示させてもよい。表示制御部１５は、合成処理部１４が合成した合成映像データ１１０をナビゲーション映像データとともにモニタ２０に表示させる。表示制御部１５は、標識情報取得部１２が取得した標識情報に基づいて、標識の表示開始位置を通過してから特定事象の位置を通過するまでの間、合成映像データ１１０をナビゲーション映像データとともにモニタ２０に表示させる。
【００３２】
標識の表示開始位置は、車両の現在位置が標識の設置位置になったときとしてもよい。または、標識の表示開始位置は、車両の現在位置が標識の設置位置から所定距離、例えば１０ｍ手前の位置になったときとしてもよい。標識の表示開始位置は、車両の現在位置が標識の設置位置から所定距離、例えば１０ｍ、特定事象に近づいた位置になったときとしてもよい。このような標識の表示開始位置をどの位置にするかは、運転者が設定可能とすることが好ましい。
【００３３】
次に、図８を用いて、車両用表示制御装置１０における情報処理について説明する。図８は、第一実施形態に係る車両用表示システムの車両用表示制御装置における処理の流れを示すフローチャートである。
【００３４】
図８に示すフローチャートの処理における前提としては、車両が動作している期間中、ナビゲーションシステムが起動して、モニタ２０にナビゲーション映像データである地図が表示されており、標識を表示することが必要となった状態である。標識を表示することが必要となった状態とは、例えば上述したように、車両の現在位置が標識の表示開始位置となった場合である。表示されている地図には、地図上における車両の現在位置が示されている。また、車両が動作している期間中、車両用表示制御装置１０の現在位置情報取得部１１が、車両の現在位置を取得する。さらに、車両が動作している期間中、常時または標識を表示することが必要となったときに車両用表示制御装置１０の標識情報取得部１２が、標識情報を取得する。
【００３５】
車両用表示制御装置１０は、取得した標識情報が、距離の記載を含んだ標識情報であるか否かを判定する（ステップＳ１１）。より詳しくは、車両用表示制御装置１０は、標識情報取得部１２によって、車両が走行中の道路の進行方向前方に車両を向いて設置されている標識の標識情報が取得され、取得した標識情報が距離記載部１０１を備えている場合（ステップＳ１１でＹｅｓ）、ステップＳ１２に進む。車両用表示制御装置１０は、取得した標識情報が距離記載部１０１を備えていない場合（ステップＳ１１でＮｏ）、取得した標識情報をそのまま表示部に表示させる。ステップＳ１１がＮｏの場合の処理は既存の標識表示処理であるため、ここでは説明を省略し、ステップＳ１１の処理に戻る。
【００３６】
車両用表示制御装置１０は、車両の現在位置から特定事象までの距離を算出する（ステップＳ１２）。より詳しくは、車両用表示制御装置１０は、距離算出部１３によって、現在位置情報取得部１１が取得したナビゲーション情報と標識情報取得部１２が取得した標識映像データ１００とに基づいて、車両の現在位置から標識が示す特定事象までの距離を算出する。車両用表示制御装置１０は、ステップＳ１３に進む。
【００３７】
車両用表示制御装置１０は、車両の現在位置から特定事象までの距離を合成する（ステップＳ１３）。より詳しくは、車両用表示制御装置１０は、合成処理部１４によって、標識映像データ１００に対して、距離記載部１０１に距離算出部１３が算出した車両の現在位置から特定事象までの距離を合成した合成映像データ１１０を生成する。車両用表示制御装置１０は、ステップＳ１４に進む。
【００３８】
車両用表示制御装置１０は、合成した合成映像データ１１０を表示する（ステップＳ１４）。より詳しくは、車両用表示制御装置１０は、表示制御部１５によって、合成映像データ１１０をナビゲーション映像とともにモニタ２０に表示させる。車両用表示制御装置１０は、ステップＳ１５に進む。
【００３９】
車両用表示制御装置１０は、特定事象の位置を通過したか否かを判定する（ステップＳ１５）。より詳しくは、車両用表示制御装置１０は、現在位置情報取得部１１が取得したナビゲーション情報と標識情報取得部１２が取得した標識情報とに基づいて、車両の現在位置が特定事象の位置を通過した場合（ステップＳ１５でＹｅｓ）、ステップＳ１６に進む。または、車両用表示制御装置１０は、ナビゲーション情報と標識情報とに基づいて、例えば、車両が右折または左折して標識が設置されている道路から外れた場合も、車両の現在位置が特定事象の位置を通過したと判定してもよい。車両用表示制御装置１０は、現在位置情報取得部１１が取得したナビゲーション情報と標識情報取得部１２が取得した標識情報とに基づいて、車両の現在位置が特定事象の位置を通過していない場合（ステップＳ１５でＮｏ）、ステップＳ１２に戻って処理を継続する。
【００４０】
車両用表示制御装置１０は、合成した合成映像データ１１０を非表示にする（ステップＳ１６）。より詳しくは、車両用表示制御装置１０は、表示制御部１５によって、合成映像データ１１０を非表示として、ナビゲーション映像をモニタ２０に表示させる。車両用表示制御装置１０は、処理を終了する。
【００４１】
図９、図２、図１０ないし図１３を参照して、車両用表示制御装置１０における情報処理の具体例を説明する。図９は、車両の位置と特定事象の位置とを説明する概略図である。図１０は、第一実施形態に係る車両用表示システムで合成された合成映像データの一例を示す図である。図１１は、第一実施形態に係る車両用表示システムで合成された合成映像データの他の例を示す図である。図１２は、第一実施形態に係る車両用表示システムで合成された合成映像データの他の例を示す図である。図１３は、第一実施形態に係る車両用表示システムで合成された合成映像データの他の例を示す図である。図９において、実線で示すように、車両Ｖは、特定事象である交差点Ｐの手前３５０ｍに位置している。車両用表示制御装置１０は、距離算出部１３によって、車両Ｖの現在位置から交差点Ｐまでの距離を「３５０ｍ」と算出する。距離算出部１３は、ナビゲーション情報に基づいて、交差点Ｐから３５０ｍ手前に標識が存在することを予め認識している。このため、車両Ｖの現在位置交差点Ｐの手前３５０ｍとなったときに、標識の表示を開始させる。車両用表示制御装置１０は、合成処理部１４によって、算出した距離「３５０ｍ」を距離記載部１１１に合成した合成映像データ１１０を生成する。車両用表示制御装置１０は、表示制御部１５によって、図２に示す合成映像データ１１０をナビゲーション映像とともにモニタ２０に表示させる。図２に示す合成映像データ１１０は、標識映像データ１００と同一である。
【００４２】
車両Ｖの現在位置が位置Ｂであるとき、車両用表示制御装置１０は、距離算出部１３によって、車両Ｖの現在位置から交差点Ｐまでの距離を「３００ｍ」と算出する。車両用表示制御装置１０は、合成処理部１４によって、算出した距離「３００ｍ」を距離記載部１１１に合成した合成映像データ１１０を生成する。車両用表示制御装置１０は、表示制御部１５によって、図１０に示す合成映像データ１１０をナビゲーション映像とともにモニタ２０に表示させる。
【００４３】
車両Ｖの現在位置が位置Ｃであるとき、車両用表示制御装置１０は、距離算出部１３によって、車両Ｖの現在位置から交差点Ｐまでの距離を「２５０ｍ」と算出する。車両用表示制御装置１０は、合成処理部１４によって、算出した距離「２５０ｍ」を距離記載部１１１に合成した合成映像データ１１０を生成する。車両用表示制御装置１０は、表示制御部１５によって、図１１に示す合成映像データ１１０をナビゲーション映像とともにモニタ２０に表示させる。
【００４４】
車両Ｖは、特定事象である交差点Ｐに位置している。車両Ｖの現在位置が位置Ｄであるとき、車両用表示制御装置１０は、距離算出部１３によって、車両Ｖの現在位置から交差点Ｐまでの距離を「０ｍ」と算出する。車両用表示制御装置１０は、合成処理部１４によって、算出した距離「０ｍ」が距離記載部１１１に合成した合成映像データ１１０を生成する。車両用表示制御装置１０は、表示制御部１５によって、図１２に示す合成映像データ１１０をナビゲーション映像とともにモニタ２０に表示させる。または、車両用表示制御装置１０は、表示制御部１５によって、図１３に示す合成映像データ１１０をナビゲーション映像とともにモニタ２０に表示させてもよい。図１３に示す合成映像データ１１０は、標識中の交差点Ｐが円１１２で囲われている。
【００４５】
このようにして、車両用表示システム１は、特定事象までの距離の記載を含む標識の映像データを表示するとき、車両の現在位置から特定事象までの距離を算出する。そして、算出した距離を合成した合成映像データ１１０をモニタ２０に表示する。言い換えると、モニタ２０に表示される特定事象までの距離の記載を含む標識の合成映像データ１１０においては、表示される距離が車両の現在位置に合わせて変化する。
【００４６】
上述したように、本実施形態によれば、モニタ２０に表示される特定事象までの距離の記載を含む標識の合成映像データ１１０においては、表示される距離が車両の現在位置に合わせて変化する。本実施形態によれば、運転者は、モニタ２０に表示された合成映像データ１１０を視認すると、車両の現在位置から特定事象までの距離を正しく認識することができる。このように、本実施形態は、特定事象までの距離の記載を含む標識を適切に確認可能にすることができる。
【００４７】
これに対して、道路に設置されている標識において特定事象までの距離は、標識の設置位置における特定事象までの距離が記載されている。この場合、運転者は、標識に記載されていた距離に基づいて、車両が標識の設置位置からどのくらいの距離を走行したかを推測して、特定事象に到達したか否かを判断する。このため、運転者が、特定事象に到達したか否かを正しく認識することが難しいおそれがある。また、モニタ２０に表示される特定事象までの距離の記載を含む標識の映像データにおいて、表示される距離が車両の現在位置に合わせて変化しない場合も、運転者が、特定事象に到達したか否かを正しく認識することが難しいおそれがある。
【００４８】
［第二実施形態］
図１４ないし図１６を参照しながら、本実施形態に係る車両用表示システム１Ａについて説明する。図１４は、第二実施形態に係る車両用表示システムの構成例を示すブロック図である。図１５は、第二実施形態に係る車両用表示システムのカメラで撮影された前方映像データの一例を示す図である。図１６は、第二実施形態に係る車両用表示システムの車両用表示制御装置における処理の流れを示すフローチャートである。本実施形態に係る車両用表示システム１Ａは、基本的な構成は第一実施形態の車両用表示システム１と同様である。以下の説明においては、車両用表示システム１と同様の構成要素には、同一の符号または対応する符号を付し、その詳細な説明は省略する。本実施形態の車両用表示システム１Ａは、カメラ３０Ａを備え、車両用表示制御装置１０Ａにおける情報処理が第一実施形態の車両用表示システム１と異なる。
【００４９】
カメラ３０Ａは、車両の前方に前方を向いて配置され、車両の前方を撮影する。カメラ３０Ａは、水平方向の画角が例えば９０〜１８０°、上下方向の画角が例えば４５〜９０°である。例えば、カメラ３０Ａは、図１５に示すような、前方映像データ２００を撮影している。カメラ３０Ａは、撮影した前方映像データ２００を車両用表示制御装置１０Ａの映像データ取得部１６Ａへ出力する。
【００５０】
車両用表示制御装置１０Ａは、現在位置情報取得部１１と、標識情報取得部１２Ａと、距離算出部１３Ａと、合成処理部１４Ａと、表示制御部１５と、映像データ取得部１６Ａとを含む。
【００５１】
映像データ取得部１６Ａは、車両の前方を撮影した映像を取得する。映像データ取得部１６Ａが取得する映像データは、例えば、毎秒６０フレームの画像が連続した映像データである。映像データ取得部１６Ａは、カメラ３０Ａが出力した前方映像データ２００を取得する。映像データ取得部１６Ａは、取得した前方映像データ２００を標識情報取得部１２Ａに出力する。
【００５２】
標識情報取得部１２Ａは、車両の進行方向を撮影した映像から、車両が走行中の道路における標識情報を取得する。より詳しくは、標識情報取得部１２Ａは、映像データ取得部１６Ａが取得した前方映像データ２００に対して、標識辞書データ等を参照しながら画像認識処理を行って、標識を認識する。標識情報取得部１２Ａは、標識を認識すると、前方映像データ２００から標識の範囲の映像を標識映像データ２１０として切出す。さらに、標識情報取得部１２Ａは、切出した標識映像データ２１０に対して文字認識処理を行うことで、切出した標識映像データ２１０に距離を示す数値および単位を認識するとともに、距離を示す数値および単位を含む標識であるか否かを判断する。以下、認識された数値および単位が表示されている範囲を距離記載部２１１とする。標識情報取得部１２Ａは、前方映像データ２００と取得した標識情報である標識映像データ２１０とを距離算出部１３Ａに出力する。標識情報取得部１２Ａは、標識映像データ２１０を合成処理部１４Ａに出力する。
【００５３】
距離算出部１３Ａは、現在位置情報取得部１１が取得したナビゲーション情報と標識情報取得部１２Ａが取得した標識映像データ２１０とに基づいて、車両の現在位置から標識が示す特定事象までの距離を算出する。まず、距離算出部１３Ａは、標識情報取得部１２Ａによる画像認識処理によって認識された文字列から距離記載部２１１に記載された距離を取得する。そして、距離算出部１３Ａは、前方映像データ２００に対して画像処理を行って、車両の現在位置から標識までの距離を算出して、標識の設置位置を算出する。そして、距離算出部１３Ａは、距離記載部２１１に記載された距離と標識の設置位置とから、特定事象の位置を算出する。そして、距離算出部１３Ａは、車両の現在位置と特定事象の位置とから、車両の現在位置から特定事象までの距離を算出する。距離算出部１３Ａは、算出した距離を合成処理部１４Ａに出力する。標識が示す特定事象は、標識情報取得部１２Ａによる画像認識処理によって認識された文字列から取得してもよく、ナビゲーション情報から取得してもよい。
【００５４】
合成処理部１４Ａは、標識映像データ２１０に対して、距離記載部２１１に距離算出部１３Ａが算出した車両の現在位置から特定事象までの距離を合成した合成映像データ１１０を生成する。合成処理部１４Ａは、合成した合成映像データ１１０を表示制御部１５に出力する。
【００５５】
次に、車両用表示制御装置１０Ａにおける情報処理について説明する。図１６に示すフローチャートのステップＳ２５ないしステップＳ２７の処理は、図８に示すフローチャートのステップＳ１４ないしステップＳ１６の処理と同様である。
【００５６】
図１６に示すフローチャートの処理における前提としては、車両が動作している期間中、カメラ３０Ａが前方を撮影し、映像データ取得部１６Ａが前方映像データ２００を取得する。ナビゲーションシステムが起動して、モニタ２０にナビゲーション映像データである地図が表示されており、標識を表示することが必要となった状態である。標識を表示することが必要となった状態とは、ナビゲーション情報に基づき車両の現在位置が標識の表示開始位置となった場合、または、前方映像データ２００に対して常時標識認識処理を行うことで、標識が認識された場合に、標識を表示することが必要となった状態としてもよい。また、車両が動作している期間中、車両用表示制御装置１０Ａの現在位置情報取得部１１が、車両の現在位置を取得する。さらに、車両が動作している期間中、常時または標識を表示することが必要となったときに車両用表示制御装置１０Ａの標識情報取得部１２Ａが、前方映像データ２００に対して画像認識処理を行って標識情報を取得する。
【００５７】
車両用表示制御装置１０Ａは、認識した標識情報が、距離の記載を含んだ標識情報であるか否かを判定する（ステップＳ２１）。より詳しくは、車両用表示制御装置１０Ａは、標識情報取得部１２Ａによって、前方映像データ２００から標識情報が取得され、取得した標識情報が距離記載部２１１を備えている場合（ステップＳ２１でＹｅｓ）、ステップＳ２２に進む。車両用表示制御装置１０Ａは、取得した標識情報が距離記載部２１１を備えていない場合（ステップＳ２１でＮｏ）、取得した標識情報をそのまま表示部に表示させる。ステップＳ２１がＮｏの場合の処理は既存の標識表示処理であるため、ここでは説明を省略し、ステップＳ２１の処理に戻る。
【００５８】
車両用表示制御装置１０Ａは、標識映像データ２１０を切出す（ステップＳ２２）。より詳しくは、車両用表示制御装置１０Ａは、標識情報取得部１２Ａによって、前方映像データ２００から標識の範囲の映像を標識映像データ２１０として切出す。車両用表示制御装置１０Ａは、ステップＳ２３に進む。
【００５９】
車両用表示制御装置１０Ａは、車両の現在位置から特定事象までの距離を算出する（ステップＳ２３）。より詳しくは、車両用表示制御装置１０Ａは、距離算出部１３Ａによって、現在位置情報取得部１１が取得したナビゲーション情報と標識情報取得部１２Ａが取得した標識映像データ２１０とに基づいて、車両の現在位置から標識が示す特定事象までの距離を算出する。車両用表示制御装置１０Ａは、ステップＳ２４に進む。
【００６０】
車両用表示制御装置１０Ａは、切出した標識映像データ２１０に車両の現在位置から特定事象までの距離を合成する（ステップＳ２４）。より詳しくは、車両用表示制御装置１０Ａは、合成処理部１４Ａによって、切出した標識映像データ２１０に対して、距離記載部２１１に距離算出部１３Ａが算出した車両の現在位置から特定事象までの距離を合成した合成映像データ１１０を生成する。車両用表示制御装置１０Ａは、ステップＳ２５に進む。
【００６１】
このようにして、車両用表示システム１Ａは、カメラ３０Ａで撮影した前方映像データ２００から標識情報を認識して、算出した距離を合成した合成映像データ１１０をモニタ２０に表示する。
【００６２】
上述したように、本実施形態によれば、特定事象までの距離の記載を含む標識を適切に確認可能にすることができる。
【００６３】
［第三実施形態］
図１７を参照しながら、本実施形態に係る車両用表示システム１について説明する。図１７は、第三実施形態に係る車両用表示システムの車両用表示制御装置における処理の流れを示すフローチャートである。本実施形態に係る車両用表示システム１は、基本的な構成は第一実施形態の車両用表示システム１と同様である。本実施形態の車両用表示システム１は、車両用表示制御装置１０における情報処理が第一実施形態の車両用表示システム１と異なる。
【００６４】
標識情報取得部１２は、ナビゲーションシステムから取得したナビゲーション情報に基づいて、標識情報を取得する。標識情報取得部１２は、新しく取得した標識情報と、すでに取得した標識情報とを比較して、距離のみが異なる同じ標識情報が存在する場合、すでに取得した標識情報を新しく取得した標識情報に更新して置き換える。距離のみが異なる同じ標識情報とは、例えば、同じ交差点の案内標識であって、距離が短くなった標識のことをいう。
【００６５】
次に、車両用表示制御装置１０における情報処理について説明する。図１７に示すフローチャートのステップＳ３１、ステップＳ３４ないしステップＳ３８の処理は、図８に示すフローチャートのステップＳ１１、ステップＳ１２ないしステップＳ１６の処理と同様である。
【００６６】
車両用表示制御装置１０は、距離のみが異なる同じ標識情報をすでに取得しているか否かを判定する（ステップＳ３２）。より詳しくは、車両用表示制御装置１０は、標識情報取得部１２によって、車両が走行中の道路の進行方向前方に設置されている標識情報が取得された場合（ステップＳ３１でＹｅｓ）、新しく取得した標識情報と、すでに取得した標識情報とを比較して、距離のみが異なる同じ標識情報が存在する場合（ステップＳ３２でＹｅｓ）、ステップＳ３３に進む。車両用表示制御装置１０は、標識情報取得部１２によって、新しく取得した標識情報と、すでに取得した標識情報とを比較して、距離のみが異なる同じ標識情報が存在しない場合（ステップＳ３２でＮｏ）、ステップＳ３４に進む。
【００６７】
車両用表示制御装置１０は、標識情報を更新する（ステップＳ３３）。より詳しくは、車両用表示制御装置１０は、すでに取得した標識情報を新しく取得した標識情報に更新して置き換える。車両用表示制御装置１０は、ステップＳ３４に進む。
【００６８】
このようにして、車両用表示システム１は、例えば、同じ交差点の案内標識であって、距離が短くなった標識の標識情報を取得すると、すでに取得した標識情報を新しく取得した標識情報に更新して置き換える。
【００６９】
上述したように、本実施形態によれば、例えば、同じ交差点の案内標識であって、距離が短くなった標識の標識情報を取得したようなときに、すでに取得した標識情報を新しく取得した標識情報に更新して置き換えることができる。これにより、本実施形態は、同じ内容で距離が異なる標識を複数表示してしまうことを抑制することができる。このようにして、本実施形態は、標識情報を適切に確認可能にすることができる。
【００７０】
［第四実施形態］
図１８を参照しながら、本実施形態に係る車両用表示システム１について説明する。図１８は、第四実施形態に係る車両用表示システムの車両用表示制御装置における処理の流れを示すフローチャートである。本実施形態に係る車両用表示システム１は、基本的な構成は第一実施形態の車両用表示システム１と同様である。本実施形態の車両用表示システム１は、車両用表示制御装置１０における情報処理が第一実施形態の車両用表示システム１と異なる。本実施形態では、複数の標識情報が取得された場合について説明する。
【００７１】
車両用表示制御装置１０は、複数の標識情報が取得された場合、標識情報に優先順位付けを行って、優先順位の高い標識情報を優先してモニタ２０に表示する。車両用表示制御装置１０は、さらに図示しない経路情報取得部と順位判定部（優先順位判定部）とを有する。
【００７２】
経路情報取得部は、設定された目的地までの経路情報を取得する。より詳しくは、経路情報取得部は、ナビゲーション情報から、目的地情報または経路案内情報を取得する。経路情報取得部は、取得した経路情報を順位判定部に出力する。
【００７３】
順位判定部は、取得した複数の標識情報の優先順位を判定する。本実施形態では、順位判定部は、経路情報に基づいて、例えば、右折または左折する交差点、または、分岐点に対応する標識情報の優先順位を高くする。または、順位判定部は、例えば、新しく取得した標識情報の優先順位を高くしてもよい。または、順位判定部は、例えば、車両の現在位置から近い特定事象を示す標識情報の優先順位を高くしてもよい。または、順位判定部は、例えば、燃料に基づいて算出した走行可能距離が閾値以下になった場合は、ガソリンスタンドを備えたサービス・エリアの標識情報の優先順位を高くしてもよい。または、順位判定部は、例えば、運転継続時間が閾値時間以上になった場合、サービス・エリア、パーキングエリア、道の駅、ドライブイン、コンビニエンスストア、ガソリンスタンドの標識情報の優先順位を高くしてもよい。または、順位判定部は、例えば、ユーザが任意に優先順位を設定可能にしてもよい。
【００７４】
次に、車両用表示制御装置１０における情報処理について説明する。
【００７５】
車両用表示制御装置１０は、新しい標識情報があるか否かを判定する（ステップＳ４１）。より詳しくは、車両用表示制御装置１０は、標識情報取得部１２によって、車両が走行中の道路の進行方向前方に設置されている標識情報が新しく取得された場合（ステップＳ４１でＹｅｓ）、ステップＳ４２に進む。車両用表示制御装置１０は、標識情報取得部１２によって、車両が走行中の道路の進行方向前方に設置されている標識情報が新しく取得されていない場合（ステップＳ４１でＮｏ）、ステップＳ４１の処理を再度実行する。
【００７６】
車両用表示制御装置１０は、他の標識情報があるか否かを判定する（ステップＳ４２）。より詳しくは、車両用表示制御装置１０は、すでに取得された他の標識情報がある場合（ステップＳ４２でＹｅｓ）、ステップＳ４３に進む。車両用表示制御装置１０は、すでに取得された他の標識情報がない場合（ステップＳ４２でＮｏ）、ステップＳ４７に進む。
【００７７】
車両用表示制御装置１０は、標識情報の優先順位付けを行う（ステップＳ４３）。より詳しくは、例えば、車両用表示制御装置１０は、順位判定部によって、ナビゲーションシステムから取得したナビゲーション情報に、目的地情報または経路案内情報が含まれている場合、右折または左折する交差点、または、分岐点に対応する標識の優先順位を高く判定する。車両用表示制御装置１０は、ステップＳ４４に進む。
【００７８】
車両用表示制御装置１０は、優先順位の一番高い標識情報について処理を実行する（ステップＳ４４）。より詳しくは、車両用表示制御装置１０は、優先順位の一番高い標識情報について、図８に示すフローチャートのステップＳ１２ないしステップＳ１６の処理を実行する。
【００７９】
車両用表示制御装置１０は、ステップＳ４４の処理を行うと同時に、優先順位の低い標識情報について処理を保留する（ステップＳ４５）。より詳しくは、車両用表示制御装置１０は、モニタ２０に表示中の優先順位の低い標識情報が存在する場合、当該標識を非表示にする。
【００８０】
車両用表示制御装置１０は、優先順位の低い標識情報の特定事象の位置を通過したか否かを判定する（ステップＳ４６）。より詳しくは、車両用表示制御装置１０は、ナビゲーション情報と優先順位の低い標識情報とに基づいて、車両の現在位置が、すべての優先順位の低い標識に対応する特定事象の位置を通過したか否かを判定する。車両用表示制御装置１０は、車両の現在位置がすべての優先順位の低い標識に対応する特定事象の位置を通過した場合（ステップＳ４６でＹｅｓ）、処理を終了する。車両用表示制御装置１０は、車両の現在位置がすべての優先順位の低い特定事象の位置を通過していない場合（ステップＳ４６でＮｏ）、ステップＳ４３に戻って再度処理を実行する。
【００８１】
車両用表示制御装置１０は、新しい標識情報について処理を実行する（ステップＳ４７）。より詳しくは、車両用表示制御装置１０は、新しい標識情報について、図８に示すフローチャートのステップＳ１２ないしステップＳ１６の処理を実行する。
【００８２】
このようにして、複数の標識情報が取得された場合、標識情報に優先順位付けを行って、優先順位の高い標識情報を優先してモニタ２０に表示する。
【００８３】
上述したように、本実施形態によれば、複数の標識情報が取得された場合、標識情報に優先順位付けを行って、優先順位の高い標識情報を優先してモニタ２０に表示することができる。本実施形態によれば、複数の標識が存在しても、特定事象までの距離の記載を含む標識を適切に確認可能にすることができる。
【００８４】
図示した車両用表示システム１の各構成要素は、機能概念的なものであり、必ずしも物理的に図示の如く構成されていなくてもよい。すなわち、各装置の具体的形態は、図示のものに限られず、各装置の処理負担や使用状況などに応じて、その全部または一部を任意の単位で機能的または物理的に分散または統合してもよい。
【００８５】
車両用表示システム１の構成は、例えば、ソフトウェアとして、メモリにロードされたプログラムなどによって実現される。上記実施形態では、これらのハードウェアまたはソフトウェアの連携によって実現される機能ブロックとして説明した。すなわち、これらの機能ブロックについては、ハードウェアのみ、ソフトウェアのみ、または、それらの組み合わせによって種々の形で実現できる。
【００８６】
上記に記載した構成要素には、当業者が容易に想定できるもの、実質的に同一のものを含む。さらに、上記に記載した構成は適宜組み合わせが可能である。また、本発明の要旨を逸脱しない範囲において構成の種々の省略、置換または変更が可能である。
【００８７】
第一実施形態では、標識情報は、ナビゲーションシステムから取得したナビゲーション情報から取得するものとしたが、これに限定されない。標識情報は、通信回線を介して、取得する地図情報から取得してもよい。
【００８８】
車両用表示制御装置１０は、さらに経路情報取得部と、判断部とを備えていてもよい。経路情報取得部は、第四実施形態と同様に設定された目的地までの経路情報を取得する。判断部は、標識情報取得部１２が取得した標識情報に対応する特定事象が、経路情報取得部が取得した経路情報において、通知を要する特定事象であるか否かを判断する。判断部は、特定事象が、例えば、経路上において右折または左折する交差点、または、分岐点である場合、通知を要する特定事象であると判定してもよい。距離算出部１３は、判断部によって、特定事象が、経路情報取得部が取得した経路情報において通知を要する特定事象であると判断された場合に、車両の現在位置から特定事象までの距離を算出する。これにより、目的地までの経路上において通知を要する特定事象に限って処理を行う。このようにして、処理の負荷を軽減するとともに、標識を適切に確認可能にすることができる。
【符号の説明】
【００８９】
１        車両用表示システム
１０      車両用表示制御装置
１１      現在位置情報取得部
１２      標識情報取得部
１３      距離算出部
１４      合成処理部
１５      表示制御部
２０      モニタ（表示部）
１００    標識映像データ（標識情報）
１１０    合成映像データ
【図１】
2019095388.tif 000003
【図２】
2019095388.tif 000004
【図３】
2019095388.tif 000005
【図４】
2019095388.tif 000006
【図５】
2019095388.tif 000007
【図６】
2019095388.tif 000008
【図７】
2019095388.tif 000009
【図８】
2019095388.tif 000010
【図９】
2019095388.tif 000011
【図１０】
2019095388.tif 000012
【図１１】
2019095388.tif 000013
【図１２】
2019095388.tif 000014
【図１３】
2019095388.tif 000015
【図１４】
2019095388.tif 000016
【図１５】
2019095388.tif 000017
【図１６】
2019095388.tif 000018
【図１７】
2019095388.tif 000019
【図１８】
2019095388.tif 000020